(57)【特許請求の範囲】
【請求項１】
タッチセンサ付き表示パネルと、
前記パネル前面全体を被覆する薄層と、
前記パネル面上の基準点を設定する基準点設定手段と、
前記タッチセンサにより前記パネル面上に描画された描画コンテンツが、スケールコンテンツか否かを判別する描画コンテンツ判別手段と、
前記スケールコンテンツと前記基準点との最短距離を算出する距離算出手段と、
前記スケールコンテンツ及び前記描画コンテンツが入力された時間情報を記憶する時間情報記憶手段と、
前記パネル面上に、前記基準点に関する情報、前記距離算出手段により算出された距離情報、及び、前記スケールコンテンツに関する前記時間情報、に基づいてコンテンツ項目を表示する手段と、
何れかの前記コンテンツ項目を選択する手段と、
前記コンテンツ項目に紐付けられた前記時間情報に関連した前記スケールコンテンツと前記描画コンテンツの少なくとも何れかを前記パネル面上に表示する手段、
を備え、
前記パネル面上には、ユーザの身体または入力デバイスを用いて描画され、
前記入力デバイスは、個々にユニークな識別情報を有し、前記パネル面に描画した際に、描画された時間情報と該描画に用いたデバイスの前記識別情報を関連付けして描画内容を記憶又は外部デバイスに送信の少なくとも何れかを行う描画内容処理手段を備えたことを特徴とする操作表示パネル組込物品。
【請求項２】
タッチセンサ付き表示パネルと、
前記パネル前面全体を被覆する薄層と、
前記パネル面上の基準点を設定する基準点設定手段と、
前記タッチセンサにより前記パネル面上に描画された描画コンテンツが、スケールコンテンツか否かを判別する描画コンテンツ判別手段と、
前記スケールコンテンツと前記基準点との最短距離を算出する距離算出手段と、
前記スケールコンテンツ及び前記描画コンテンツが入力された時間情報を記憶する時間情報記憶手段と、
前記パネル面上に、前記基準点に関する情報、前記距離算出手段により算出された距離情報、及び、前記スケールコンテンツに関する前記時間情報、に基づいてコンテンツ項目を表示する手段と、
何れかの前記コンテンツ項目を選択する手段と、
前記コンテンツ項目に紐付けられた前記時間情報に関連した前記スケールコンテンツと前記描画コンテンツの少なくとも何れかを前記パネル面上に表示する手段、
を備え、
前記時間情報は、描画された後、前記パネル面上に何も描画されない状態が一定時間継続したときの日時の情報であることを特徴とする操作表示パネル組込物品。
【請求項３】
前記コンテンツ選択手段は、前記コンテンツ項目の表示位置を基準に、前記コンテンツを選択するものであり、
前記パネル面上に対する所定の操作により、選択用のカーソルを表示する手段と、
前記パネル面上において、少なくとも上下又は左右に前記カーソルを移動する手段と、
前記パネル面上に対する所定の操作により、選択する前記コンテンツ項目を決定する手段、を備えることを特徴とする請求項１又は２に記載の操作表示パネル組込物品。
【請求項４】
前記描画コンテンツ判別手段は、描画開始点から描画終了点までを結ぶ直線である場合に、前記描画コンテンツを前記スケールコンテンツと判別することを特徴とする請求項１〜３の何れかに記載の操作表示パネル組込物品。
【請求項５】
前記基準点が、床面であり、
床面に起立したユーザの頭上において、前記パネル面上に前記スケールコンテンツを描画することにより、
前記距離算出手段が、ユーザの身長を計測することを特徴とする請求項１〜４の何れかに記載の操作表示パネル組込物品。
【請求項６】
建物の柱又は壁面に脱着自在に固定し得ることを特徴とする請求項１〜５の何れかに記載の操作表示パネル組込物品。
【請求項７】
請求項１〜６の何れかの操作表示パネル組込物品と、管理サーバと、クライアント端末が、ネットワークを介して接続されデータを送受信するシステムであって、
前記操作表示パネル組込物品に備えられた送信手段は、決定された前記コンテンツ項目に紐付けられた時間情報を前記管理サーバに送信し、
前記管理サーバは、
時間情報が紐付けられた、画像、音声又はテキストファイルを前記クライアント端末から受信し、かつ、データベースに保存し、
前記操作表示パネル組込物品から受信した前記時間情報に関連する、画像、音声又はテキストファイルの少なくとも何れかを前記クライアント端末に送信し、
前記クライアント端末は、
時間情報が紐付けられた、画像、音声又はテキストファイルを前記管理サーバに送信し、
前記管理サーバから受信した画像、音声又はテキストファイルの少なくとも何れかを表示又は再生し得る、
ことを特徴とする操作表示システム。
【請求項８】
前記ネットワークは、外部のＷｅｂサーバ又はＳＮＳサーバに接続され、
前記管理サーバは、外部のＷｅｂサーバ又はＳＮＳサーバから前記時間情報に関連する画像、音声又はテキストファイルの少なくとも何れかを取得し、
前記操作表示パネル組込物品又は前記クライアント端末に前記ファイルを送信し、
前記操作表示パネル組込物品又は前記クライアント端末は、
前記ファイルを受信し、かつ、表示又は再生し得る、
ことを特徴とする請求項７に記載の操作表示システム。
【発明の詳細な説明】
【技術分野】
【０００１】
本発明は、操作表示パネルにおける操作を簡便にする技術に関するものである。
【背景技術】
【０００２】
一般に、家屋の柱などにペンやナイフなどで目印を付け、子どもの身長を測定するといったことが行われる。柱などに付けられた目印は、長い年月を越えて残り続け、家族の成長が感じられるものとなっている。
しかしながら、柱などにペンやナイフなどで付けられた目印は、何時の身長を表すものなのかが分かり辛いという問題がある。また、身長を示す目印だけではなく、目印に付したメッセージや、更には子どもが描いた落書きなども時が経てば、家族にとって良い思い出となることが多いが、かかるメッセージや落書きが何時書かれたのかを把握することは困難である。
かかる問題を解決するために、何時の身長を表すものか等を柱に表記するとなると、家屋のデザイン性が損なわれるという問題がある。
【０００３】
家屋のデザイン性が損なわれない技術としては、一見すると単なる木材であるが、内部にＬＥＤディスプレイが内蔵されたデバイスが知られている（特許文献１を参照）。これは、自然由来の木材などから成る薄層が、筐体の外周面に組込まれたタッチセンサ付き表示パネルを被覆し、パネル前面に当接するように、筐体の外周面に配設されたものであり、薄層の厚さとパネルの輝度が、該パネルに表示されたコンテンツを視認できるように設計されている。パネルは、透明基材と、透明導電性シートと、発光素子が２次元配列された発光素子アレイと、発光素子の光の射出方向を導くライトガイドを備えており、これによれば、家屋等のデザイン性を損なうことなく設置することが可能である。
しかしながら、上記特許文献１では、身長の計測などに関する開示は無く、柱などに付けられた目印が、何時の身長を表すものであるか等を解決するものではない。
【０００４】
家屋等のデザイン性を損なうことなく、かつ何時計測された身長であるか把握できる技術としては、一見すると単なる木材であるが、内部にＬＥＤディスプレイが内蔵されたデバイスとデジタルペンを組み合わせ、ディスプレイの前に子どもを立たせてデジタルペンで線を引くことのできる装置が知られている（非特許文献１を参照）。
これは、頭の高さに合わせて柱に線を引くと、その高さを自動計測して、高さに関するデータがクラウドサーバに送信され、側に置かれた衣装ケースに計測した数値が表示されるものであり、これによれば、デザイン性を損なうことなく、身長を計測することが可能である。
例えば、柱等に目印を付けて子どもの身長を測る場合には、単に数値を計測するだけではなく、子どもの成長を喜び、愛情を込めて同時にメッセージ等を書き込むことも多いと考えられる。そして、そのようなメッセージが身長を示す目印と関連付けされて保存されれば、後に当時の身長に関する目印を手がかりとして、書き込まれたメッセージ等を読むことができ、身長の計測と共に柱に刻み込まれた思い出を容易に振り返ることが可能となるが、かかる点について、非特許文献１の装置では、開示されていないという問題がある。
【先行技術文献】
【特許文献】
【０００５】
【特許文献１】特許第６３７０５１９号公報
【０００６】
【非特許文献１】世界最大のエレクトロニクスショー「IFA2019」にて、mui x Wacomのコンセプトモデル「柱の記憶」を発表  〜テクノロジーによって生活のアート性を拡張します〜（https://prtimes.jp/main/html/rd/p/000000009.000030640.html）
【発明の概要】
【発明が解決しようとする課題】
【０００７】
かかる状況に鑑みて、本発明は、特定の描画内容と関連する描画内容を容易に表示でき、かつ非使用時にはその存在を意識させることのないデザイン性を備える操作表示パネル組込物品及び操作表示システムを提供することを目的とする。
【課題を解決するための手段】
【０００８】
上記課題を解決すべく、本発明の操作表示パネル組込物品は、タッチセンサ付き表示パネルと、パネル前面全体を被覆する薄層と、パネル面上の基準点を設定する基準点設定手段と、タッチセンサによりパネル面上に描画された描画コンテンツが、スケールコンテンツか否かを判別する描画コンテンツ判別手段と、スケールコンテンツと基準点との最短距離を算出する距離算出手段と、スケールコンテンツ及び描画コンテンツが入力された時間情報を記憶する時間情報記憶手段と、パネル面上に、基準点に関する情報、距離算出手段により算出された距離情報、及び、スケールコンテンツに関する時間情報、に基づいてコンテンツ項目を表示する手段と、何れかのコンテンツ項目を選択する手段と、コンテンツ項目に紐付けられた時間情報に関連したスケールコンテンツと描画コンテンツの少なくとも何れかをパネル面上に表示する手段を備える。
【０００９】
薄層は、自然由来の木材、天然繊維、天然皮革もしくは天然石材、又は、自然の外観と手触りを模倣して生成された素材である樹脂、合成繊維、合成皮革もしくは人工石から成る薄層であることが好ましい。パネル前面全体を被覆する薄層として、自然由来の素材又は自然の外観と手触りを模倣して生成された素材を用いることによって、自然な手触り感を実現することができる。特に、自然由来の素材として木材が用いられた場合には、建物内の柱等に取り付け、或は柱を模して取り付けることで、非使用時にはその存在を意識させることがなく、デザイン性の高い装置とすることができる。なお、自然由来の素材として木材が用いられる場合は、光の透過率が高く、しかも見栄えが良いシカモア材が好適に用いられるが、その他の木材でもよい。
また、自然由来の素材等は、パネル前面一部を覆う構成、例えばハーフミラーや金属調仕上げのアクリルやガラスで覆う構成を採用することも可能である。例えば、船舶や飛行機などでは、自然由来の素材である木材の突板でパネル前面の一部を覆い、覆っていないパネル前面の残りの一部をハーフミラー仕上げのアクリル樹脂で覆うことができる。
【００１０】
基準点設定手段が備えられることにより、基準点からパネル面上の任意の位置までの距離の算出が可能となる。
描画コンテンツ判別手段が備えられることにより、パネル面上に描画された描画コンテンツが、スケールコンテンツか否かを区別することが可能となる。すなわち、スケールコンテンツであると判別されると距離算出の対象となり、スケールコンテンツではないと判別されると距離算出の対象とはならないこととなる。ここでは、直線の場合だけではなく曲線の場合でも距離算出の対象とすることが可能である。判別方法としては、例えば、所定の範囲以上の長さの入力があったことを条件としてもよいし、一定時間以上の連続的な入力を条件としてもよい。また、スケールコンテンツとは、基準点からの高さや長さ、幅などを計測及び表示するコンテンツのことをいう。
【００１１】
距離算出手段が備えられることにより、例えば、子どもを操作表示パネル組込物品の前に立たせ、入力デバイスを用いて子どもの身長の高さに合わせてパネル面上に線を引くことで、子どもの身長を容易に計測することができる。
距離算出手段は、描画された線を構成する各ドットの座標点と基準点との距離を基に算出することでもよいし、描画された線の内、Ｙ座標が最も小さい点を、予め設定されたＹ座標ゼロ点の床からの位置と、画面サイズから計算して算出することでもよい。また、これ以外にも、描画された線を構成するドットのＹ座標の平均値を算出し、距離算出の対象としてもよい。基準点については、例えば、操作表示パネル組込物品の下端部を基準点としてもよい。また、基準点は複数設けられていてもよい。
【００１２】
時間情報記憶手段が備えられることにより、例えば前述したように子どもの身長を計測した場合には、計測を行った時間が自動的に記憶されることになり、何時計測を行ったかについて、後で確認することが可能となる。時間情報とは、年月日、時分秒など、必要に応じて、適宜選択できる。例えば、何月何日の描画内容、１日の特定時間帯の描画内容などで記憶内容を検索することができる。
記憶の対象となるコンテンツとしては、スケールコンテンツに限られず、手書きのメッセージや落書き等の描画コンテンツも含まれる。
時間情報としては、例えば入力開始時や入力終了時といった特定の時刻を記憶することでもよいし、入力開始時から入力終了時までの一群のデータを記憶することでもよい。特定の時刻だけではなく書き始めから書き終わりまでのデータを記憶することにより、例えば、入力した内容を後でパネル面上に再現する場合に、入力の軌跡をそのまま再現することも可能となる。なお、記憶される時間情報は、時分や秒だけでなく、年月日も記憶可能であるが、必ずしも全て記憶する必要はなく、例えば、それらの内、日にちだけや時分だけを記憶することでもよい。
【００１３】
一般的な柱に付けられた傷等の目印は、一度付けられると容易には消すことはできないが、本発明の操作表示パネル組込物品においては、描画コンテンツを記憶することができるため、当該描画コンテンツの表示を消して、更にパネル面上に描画を行うことが可能である。したがって、全ての描画コンテンツを同時にパネル面上に表示するとユーザにとって見づらい構成となってしまう。
そこで、コンテンツ項目表示手段が備えられることにより、選択し得るコンテンツが項目毎に整理された状態で表示することができ、ユーザにとって見やすく、かつ操作しやすい構成とすることができる。
コンテンツ項目表示手段は、基準点に関する情報、距離算出手段により算出された距離情報、及びスケールコンテンツに関する時間情報に基づいて表示されるため、ユーザがパネル面上において選択する位置が、距離情報及び時間情報と紐付けられた表示とされることとなる。すなわち、例えばコンテンツ項目表示手段として、身長計の目盛りを表す表示を行った場合、それぞれの目盛りは、ユーザが計測した際に描画した身長の高さやその日時とリンクすることになり、ユーザにとって直感的に操作可能な項目表示が実現されることとなる。
【００１４】
また、基準点情報と距離情報に基づく表示を前提とした場合には、時間情報に関する表示は、外見上均等な間隔の表示とはならない表示とすることもできる。例えば、２０１７年から２０１９年まで、定期的に身長を計測し、２０１７年から２０１８年までの身長の伸びが、２０１８年から２０１９年までの身長の伸びよりも良かった場合には、時間情報に関する表示としては、２０１７年から２０１８年までの表示が、２０１８年から２０１９年までの表示よりもより間隔を空けた表示とすることができる。これにより、コンテンツ項目表示をコンテンツの選択に利用できるだけでなく、身長の伸び方を一目で確認できる表示としても利用可能となる。
【００１５】
コンテンツ表示手段としては、スケールコンテンツに限られず、その他の描画コンテンツについても表示することが可能である。また、描画コンテンツ以外にも、インターネットなどから取得した気温等の天気に関する情報や、為替・株価などの経済指標の情報等を表示することでもよい。
時間情報に関連したコンテンツとは、選択したコンテンツ項目に紐付けられた時間情報と一致するコンテンツだけではなく、近接したコンテンツも含む意味である。したがって、例えば、前述した身長計の目盛りを表すコンテンツ項目表示の場合に、１３０ｃｍの位置を選択した場合、計測した日時が一致するスケールコンテンツを表示するだけではなく、計測直後又は直前に書き込まれたメッセージ等についても同時に表示することが可能である。
【００１６】
コンテンツの表示は、当該パネル面だけではなく、操作表示パネル組込物品と連携した１つ又は複数のクライアント端末のディスプレイ上に、同じ又は異なる情報を表示することも可能である。これにより、例えば、一方の画面には書き込まれたメッセージ、もう一方の画面にはその時の時事ニュースや写真などを表示するといったことも可能である。
また、操作表示パネル組込物品に、位置情報を取得する手段が更に設けられ、コンテンツ表示手段は、取得された位置情報を利用してコンテンツ項目を表示することでもよい。
【００１７】
本発明の操作表示パネル組込物品において、コンテンツ選択手段は、コンテンツ項目の表示位置を基準に、コンテンツを選択するものであり、パネル面上に対する所定の操作により、選択用のカーソルを表示する手段と、パネル面上において、少なくとも上下又は左右にカーソルを移動する手段と、パネル面上に対する所定の操作により、選択するコンテンツ項目を決定する手段を備えることが好ましい。
カーソル表示手段における所定の操作の例としては、パネル面上に短時間タッチする、一定時間以上タッチする、連続してタッチする、上下左右又は斜め方向にスライド操作を行う等が挙げられる。カーソル移動手段としては、スライド操作することでもよいし、選択箇所をタッチすることでもよい。コンテンツ項目決定手段の例としては、タッチした指や入力デバイスを離す、連続してタッチする等が挙げられる。
【００１８】
本発明の操作表示パネル組込物品において、描画コンテンツ判別手段は、描画開始点から描画終了点までを結ぶ直線である場合に、描画コンテンツをスケールコンテンツと判別することでもよい。ここで直線であるかの判別については、例えば、描画された線が、上下に所定の範囲以内であり、かつ、左右に所定の範囲以上で描かれた場合に、直線と判別することができる。
【００１９】
本発明の操作表示パネル組込物品は、基準点が床面であり、床面に起立したユーザの頭上において、パネル面上にスケールコンテンツを描画することにより、距離算出手段が、ユーザの身長を計測することが好ましい。基準点を床面とすることにより、簡単に身長を計測することが可能となる。
【００２０】
本発明の操作表示パネル組込物品において、時間情報は、描画された後、パネル面上に何も描画されない状態が一定時間継続したときの日時の情報であることでもよい。また、時間情報は、描画が開始された日時の情報であることでもよい。
【００２１】
本発明の操作表示パネル組込物品は、パネル面上には、ユーザの身体または入力デバイスを用いて描画され、入力デバイスは、個々にユニークな識別情報を有し、パネル面に描画した際に、描画された時間情報と該描画に用いたデバイスの識別情報を関連付けして描画内容を記憶又は外部デバイスに送信の少なくとも何れかを行う描画内容処理手段を備えたことが好ましい。
入力デバイスが個々にユニークな識別情報を有することにより、パネル面上へ入力した際に、誰が当該入力デバイスのユーザであるかを特定して操作表示パネルに送信できることとなる。このように複数の入力デバイスを使い分けることで、例えば身長を計測したユーザが誰であるかを容易に区別することが可能となる。また、身長計測用、メッセージ用など、操作内容に応じて、複数の入力デバイスを使い分けることでもよい。入力デバイスとしては、静電容量方式、電磁誘導方式、又は抵抗膜式などのタッチパネルに入力可能な入力デバイスを利用可能である。例えば、デジタルスタイラスペンを用いることも可能である。オプティカルトラッカー方式、カメラ画像認識などを利用した入力デバイスでもよい。また、入力デバイスの形状については、ペン形状に限るものではない。
【００２２】
また、描画内容処理手段が備えられることにより、描画された時間情報と、入力デバイスが有するユニークな識別情報を関連付けして描画内容を記憶又は外部デバイスに送信の少なくとも何れかを行うことが可能となる。記憶した描画内容は、表示パネルや外部デバイスの表示ディスプレイに再度表示することや、外部デバイスで分析加工することが可能である。時間情報と識別情報を元に、例えば、ある特定の日時に入力された、複数のユーザによる描画内容をまとめて表示することも可能であるし、ある特定のユーザの時系列に沿った描画内容を順に表示することも可能である。描画内容を表示する際には、時間情報を同時に表示してもよい。
【００２３】
個々の入力デバイスにユニークに付与された識別情報は、入力デバイスとタッチセンサ付き表示パネルの間で、無線通信を使用してデータの送受信を行うことが好ましい。無線通信の種類としては、公知の無線通信技術を幅広く含み、例えば、Ｂｌｕｅｔｏｏｔｈ（登録商標）などの近距離無線通信を使用するものでもよい。また、入力デバイス以外の物品が有する識別情報、例えばＲＦＩＤタグなどを併用してもよい。
【００２４】
本発明の操作表示パネル組込物品は、幅広い構造物や移動体に取り付けることが可能であるが、建物の柱又は壁面に脱着自在に固定し得ることが好ましい。建物の柱又は壁面に脱着自在に固定し得ることにより、取扱い時の利便性が向上する。ここでの建物には、建物に付属する門や塀などの工作物も含まれる。なお、取付方法としては、螺子等の留め具を使用することでもよいし、接着材等を使用することでもよい。
【００２５】
本発明の操作表示システムは、上記の何れかの操作表示パネル組込物品と、管理サーバと、クライアント端末が、ネットワークを介して接続されデータを送受信するシステムであって、操作表示パネル組込物品に備えられた送信手段は、決定されたコンテンツ項目に紐付けられた時間情報を管理サーバに送信し、管理サーバは、時間情報が紐付けられた、画像、音声又はテキストファイルをクライアント端末から受信し、かつ、データベースに保存し、操作表示パネル組込物品から受信した時間情報に関連する、画像、音声又はテキストファイルの少なくとも何れかをクライアント端末に送信し、クライアント端末は、時間情報が紐付けられた、画像、音声又はテキストファイルを管理サーバに送信し、管理サーバから受信した画像、音声又はテキストファイルの少なくとも何れかを表示又は再生し得る。
【００２６】
上記構成とされることにより、操作表示パネル組込物品において選択されたコンテンツ項目に関連する画像等をクライアント端末で閲覧することができる。ここで、画像には静止画像だけではなく、動画像も含まれる。クライアント端末としては、スマートフォン、タブレット端末、ＰＣ、ディスプレイ装置などの端末を幅広く含む。
【００２７】
本発明の操作表示システムにおいて、ネットワークは、外部のＷｅｂサーバ又はＳＮＳサーバに接続され、管理サーバは、外部のＷｅｂサーバ又はＳＮＳサーバから時間情報に関連する画像、音声又はテキストファイルの少なくとも何れかを取得し、操作表示パネル組込物品又はクライアント端末にファイルを送信し、操作表示パネル組込物品又はクライアント端末は、ファイルを受信し、かつ、表示又は再生し得ることが好ましい。
上記構成とされることにより、インターネットなどから取得した画像やニュース情報、ソーシャルネットワーキングサービスの投稿記事などを、操作表示パネル組込物品や手持ちのスマートフォンなどで表示することが可能となる。なお、ファイルの関連付けについては、時間情報だけではなく位置情報を用いることでもよい。また、画像認識や音声認識により画像や音声を解析することでユーザＩＤ等と紐付けすることでもよい。
【発明の効果】
【００２８】
本発明の操作表示パネル組込物品及び操作表示システムによれば、特定の描画内容と関連する描画内容を容易に表示でき、かつ非使用時にはその存在を意識させることのないデザイン性を備えたものとできるといった効果がある。
【図面の簡単な説明】
【００２９】
【図１】実施例１の操作表示パネル組込物品の機能ブロック図
【図２】実施例２の操作表示システムの機能ブロック図
【図３】実施例３の身長管理装置の斜視図
【図４】実施例３の身長管理装置の入力説明図
【図５】実施例３の身長管理装置の描画イメージ図
【図６】実施例３の身長管理装置の操作イメージ図
【図７】実施例３の身長管理装置のコンテンツ項目表示イメージ図
【図８】実施例３の身長管理装置のコンテンツ項目選択イメージ図
【図９】身長管理装置の取付イメージ図
【図１０】実施例４の身長管理装置のコンテンツ項目表示イメージ図
【図１１】実施例５の操作表示パネル組込物品のコンテンツ項目表示イメージ図
【図１２】実施例６の身長管理システムのシステム構成図
【図１３】実施例３の身長管理装置本体の構成イメージ図
【図１４】実施例３の身長管理装置本体の断面模式図
【発明を実施するための最良の形態】
【００３０】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００３１】
図１は、実施例１の操作表示パネル組込物品の機能ブロック図を示している。図１に示すように、操作表示パネル組込物品３０は、基準点設定手段３１、描画コンテンツ判別手段３２、距離算出手段３３、時間情報記憶手段３４、コンテンツ項目表示手段３５、コンテンツ選択手段３６、コンテンツ表示手段３７、送信手段３８及び受信手段３９を備える。また、コンテンツ選択手段３６は、カーソル表示手段３６ａ、カーソル移動手段３６ｂ及びコンテンツ項目決定手段３６ｃを備える。
【００３２】
操作表示パネル組込物品３０は、タッチセンサ付き表示パネルと、パネル前面全体を被覆する薄層を備える（図示せず）が、操作表示パネル組込物品３０の外形状は、特に限定されず、板状、箱形状等の直方体形状などの平面のみで構成される形状に限られず、球形状、楕円球形状、円筒形状又は円錐形状などの曲面形状を有するものでもよい。また、例えば、板状である場合でも、縦横の長さは、建物内の柱のように細長い形状であってもよいし、壁面全体を覆うような縦横に長い形状でもよい。サイズについても限定はなく、壁面サイズやタブレットサイズなど幅広いサイズが適用可能である。
タッチセンサ付き表示パネルへの入力は、デジタルペンなどの入力デバイス（図示せず）を用いることもできるし、指先等でタッチして入力することも可能である。
【００３３】
基準点設定手段３１は、パネル面上の基準点を設定するものである。描画コンテンツ判別手段３２は、タッチセンサによりパネル面上に描画された描画コンテンツが、スケールコンテンツか否かを判別するものである。距離算出手段３３は、スケールコンテンツと基準点との最短距離を算出するものである。時間情報記憶手段３４は、スケールコンテンツ及び描画コンテンツが入力された時間情報を記憶するものである。コンテンツ項目表示手段３５は、パネル面上に、基準点に関する情報、距離算出手段により算出された距離情報、及び、スケールコンテンツに関する時間情報に基づいてコンテンツ項目を表示するものである。コンテンツ選択手段３６は、コンテンツ項目を選択することで、表示するスケールコンテンツ又は描画コンテンツを選択するものである。コンテンツ表示手段３７は、コンテンツ項目に紐付けられた時間情報に関連したスケールコンテンツと描画コンテンツの少なくとも何れかをパネル面上に表示するものである。また、送信手段３８及び受信手段３９は、入力デバイスや、管理サーバ、クライアント端末との通信を行うために用いられる。
【実施例２】
【００３４】
図２は、実施例２の操作表示システムの機能ブロック図を示している。図２に示すように、操作表示システム８０は、操作表示パネル組込物品３０、管理サーバ６０及びクライアント端末７０から成り、ネットワーク５を介して接続されている。操作表示パネル組込物品３０については、ここでは送信手段３８及び受信手段３９以外の構成は記載を省略しているが、実施例１と同様の構成である。管理サーバ６０は、管理手段６１、データベース６２、送信手段６３及び受信手段６４を備える。また、クライアント端末７０は、表示手段７１、送信手段７２及び受信手段７３を備える。クライアント端末７０は、スマートフォン、タブレット端末、ＰＣ、ディスプレイ装置などの端末を幅広く含む。
操作表示パネル組込物品３０、管理サーバ６０及びクライアント端末７０は、それぞれ送信手段（３８，６３，７２）及び受信手段（３９，６４，７３）を用い、ネットワーク５を介してデータの送受信が可能である。ネットワーク５は、ローカルネットワークに限定されず、インターネットなど広く含み、また、通信方法としては、無線通信に限定されず有線通信を行うものでもよい。また、図示しないが、操作表示パネル組込物品３０とクライアント端末７０は、近距離無線通信等を用いることで、ネットワーク５を介さずにデータを送受信することも可能である。
【００３５】
管理サーバ６０は、管理手段６１によりユーザ情報や描画内容等を管理することが可能である。データベース６２には、操作表示パネル組込物品３０又はクライアント端末７０から送られたデータを保存できる。なお、管理サーバ６０に設けられたデータベース６２を記憶手段として利用することで、記憶手段を操作表示パネル組込物品３０内に設けない構成とすることもできる。
【００３６】
操作表示システム８０によれば、予めユーザがクライアント端末７０を利用して管理サーバ６０に画像等のファイルデータを送信し、操作表示パネル組込物品３０においてコンテンツを表示する際に、当該コンテンツと関連する画像等をクライアント端末７０において受信し、操作表示パネル組込物品３０における表示と共に画像等を閲覧して楽しむといった利用が可能となる。
【００３７】
また、例えば、入力デバイスや指先を用いて操作表示パネル組込物品３０に入力した情報に、自動で別の情報を付加して、管理サーバ６０やクライアント端末７０に送信することが可能である。ここで別の情報とは、例えば、描画コンテンツ判別手段３２による判別結果、距離算出手段３３によりスケールコンテンツと基準点から算出される距離情報、時間情報記憶手段３４により記憶されたスケールコンテンツ及び描画コンテンツが入力された時間情報などが挙げられる。
クライアント端末７０は、遠隔に存在するスマートフォンなどのデバイスでもよいため、クライアント端末７０から、操作表示パネル組込物品３０や管理サーバ６０にデータを送信することで、双方向でのやり取りができ、コミュニケーション手段としても有用である。
【実施例３】
【００３８】
まず、身長管理装置の取り付けと基準点の設定について説明する。図９は、身長管理装置の取付イメージ図であり、（１）は実施例３の身長管理装置、（２）はその他の実施例の身長管理装置を示している。図９（１）に示すように、身長管理装置１は、木製の柱４に重ねられるように取り付けられている。身長管理装置１の表面に用いられる突板１２も木材という自然由来の素材が表面に用いられていることから、無機質な外観を有する装置とは異なり、温かみが感じられる形態となっているだけではなく、視覚的にも木製の柱４に馴染み、非使用時には、身長管理装置１の存在を感じさせない構成となっている。
【００３９】
図９（１）に示すように、身長管理装置は、必要に応じて身長管理装置１のように全長を短く設けた構成とすることもできるし、図９（２）に示す身長管理装置１ａのように全長を長く設け、実際の柱に類似した構成とすることも可能である。
身長管理装置１ａのように全長を長く設け、実際の柱に類似した構成とした場合には、操作表示パネルユニット１１を設ける位置を下端部から所定の位置、例えば７０ｃｍ以上の位置としてもよい。これは、身長管理装置１の対象者が子どもであることが多いと考えられるからである。
身長管理装置１のように全長を短く設けた構成とした場合には、図９（１）に示すように、床面９から浮かせた状態で柱４に取り付ける。そこで、身長管理装置１を使用する場合には、例えば、床面９から身長管理装置１の下端部までの高さＨを予め計測し身長管理装置１に登録することで、基準点設定手段３１により身長管理装置１の直下の床面９を基準点として設定でき、身長の測定が可能となる。
【００４０】
図３は、実施例３の身長管理装置の斜視図を示している。図３に示すように、身長管理装置１の内部には、操作表示パネルユニット１１が設けられている。身長管理装置１の表面には、入力デバイス２で描かれた線（３ａ，３ｂ）が表示されている。
【００４１】
ここで操作表示パネルユニット１１の構造について説明する。図１３は、実施例３の身長管理装置の構成イメージ図を示している。図１３に示すように、身長管理装置１は、突板１２、透明基材１３、透明導電性シートとしてタッチパネルシート１４、ライトガイド１５及び発光素子アレイとしてＬＥＤアレイ１６から構成され、それぞれ上から順に積層されている。突板１２は、身長管理装置１の外表面に位置し、ＬＥＤアレイ１６は物品内部に位置するように構成される。突板１２には、光の透過率が高く、しかも見栄えが良いシカモア材が用いられている。
ＬＥＤアレイ１６には多数のＬＥＤ光源１７が２次元に配列されている。ライトガイド１５は、各ＬＥＤ光源１７の光の射出方向をＬＥＤアレイ１６の基板と垂直方向に導くものであり、ＬＥＤ光源１７の個数と同じガイド孔１５ａが設けられている。
【００４２】
図１３においては、説明の都合上、全てのＬＥＤ光源を図示していないが、例えば、縦３２個、横２００個の計６４００個のＬＥＤ光源でＬＥＤアレイ１６が構成される。１つのＬＥＤ光源は平面実装タイプのＬＥＤで構成される。１つのＬＥＤ光源の光で点光源を実現し、これを１ドットと見て、８×８ドット、或は、１６×１６ドットで１つの文字や図柄を表現することができる。例えば、６４００個のＬＥＤ光源を有するＬＥＤアレイ６の場合、２２文字×３行の文章を表現させることができる。ここで、ＬＥＤ光源は、例えば、２ｍｍ×２ｍｍのサイズで、７００〜１０００ｍｃｄ（ミリカンデラ）のものを用いる。
なお上記構成と異なり、例えば、縦３２個、横７００個の計２２４００個のＬＥＤ光源でＬＥＤアレイ１６を構成すれば、身長０〜２００ｃｍ程度まで対応可能となる。
ライトガイド１５は、ＬＥＤ光源１７から発せられる光で構成される文字や図柄を、突板１２を通して鮮明に視認させる役割を担っている。すなわち、ＬＥＤアレイ１６の上にライトガイド１５が積層された際に、各ＬＥＤ光源１７の直上にガイド孔１５ａが配置されるように、ＬＥＤ光源１７の配置に合わせて、多数のガイド孔１５ａが設けられている。
【００４３】
次に、身長管理装置１の組み立て後の構造について図１４を参照しながら説明する。
図１４は、実施例３の身長管理装置本体の断面模式図を示している。図１４に示すように、身長管理装置１において、突板１２、透明基材１３、タッチパネルシート１４、ライトガイド１５及びＬＥＤアレイ１６は、筐体１８によって、上から順に積層された状態で接着されている。ＬＥＤアレイ１６上に設けられたＬＥＤ光源１７から発せられた光の内、斜めに発せられた光（１９ｂ，１９ｃ）は、ライトガイド１５によって遮られ、光１９ａのように真っ直ぐな光として、突板１２に届くこととなる。なお、筐体１８は、主にＡＢＳ樹脂で形成されている。
突板１２と透明基材１３、又は、透明基材１３とタッチパネルシート１４は、間隙を設けることなく、貼り合わされている。これに対して、タッチパネルシート１４とライトガイド１５の間には、ギャップＧ１が設けられている。これは、ライトガイド１５にはガイド孔１５ａが設けられているため、タッチパネルシート１４とライトガイド１５を接着すると、タッチパネルを操作した際に、応力にばらつきが生じ、誤作動の原因となるためである。
【００４４】
また、ライトガイド１５とＬＥＤ光源１７の間にも、ギャップＧ２が設けられている。ＬＥＤアレイ１６に設けられるＬＥＤ光源１７や、ライトガイド１５に設けられるガイド孔１５ａの数は、数千個にも及ぶことから、ライトガイド１５とＬＥＤアレイ１６を積層した場合に、配置の誤差が生じる可能性がある。誤差が生じた状態で、ライトガイド１５とＬＥＤアレイ１６を接着すると、ＬＥＤ光源１７から発せられた光がガイド孔１５ａに通らず、正確な表示がなされないこととなる。そこでギャップＧ２を設けることにより、ＬＥＤ光源１７とガイド孔１５ａの配置の誤差による表示品質の低下を防止することができる。また、多少の誤差があっても表示品質が保たれるため、製造が容易となる。
【００４５】
図３に示す入力デバイス２は、デジタルスタイラスペンであり、身長管理装置１のタッチパネル１１ａ上を入力デバイス２が触れることにより、文字や図形を入力することが可能である。入力デバイス２には、予め特定のユーザＩＤが登録されているが、別のユーザＩＤに設定を変更することも可能であるし、共有することも可能である。入力デバイス２にユーザ固有のＩＤが付与されることにより、タッチパネル１１ａ上に引かれた線が誰の身長を表すものであるかを容易に特定することができ、ユーザ毎に身長情報等を記憶することができる。
【００４６】
身長管理装置１が上記のような構成を有するため、図３に示すように、入力デバイス２を用いて、子ども（図示せず）などの頭の高さに合わせてスケールコンテンツとしての線（３ａ，３ｂ）を描くことができる。
図３においては、線３ａは直線、線３ｂは曲線となっているが、このように必ずしも直線でなくても身長を測定することは可能である。かかる点について、図４を用いて説明する。
図４は、実施例３の身長管理装置の入力説明図を示している。図４に示すように、線３ｃは、左右に範囲Ｒ１に亘って描かれている。また、線３ｃは、上下については範囲Ｒ２の範囲で描かれている。身長管理装置１のタッチパネル１１ａ上に入力する線は、左右に一定以上の範囲で描かれ、かつ、上下に一定の範囲内で描かれた場合に、当該入力デバイス２に紐付けられたユーザＩＤの身長を表す情報として身長管理装置１に記憶される。また、同時に入力が完了した時刻も記憶される。具体的には、タッチパネル１１ａから入力デバイス２の先端が離れた後、一定時間経過後に、タッチパネル１１ａから入力デバイス２が離れた時刻を、身長測定時刻として記憶する。なお、ここでは図示しないが、線３ｃは、身長管理装置１のタッチパネル１１ａ上に、入力デバイス２を用いて左から右へと線が引かれている。
【００４７】
次に、スケールコンテンツ以外の描画コンテンツの描画について説明する。図５は、実施例３の身長管理装置の描画イメージ図を示している。図５に示すように、身長管理装置１のタッチパネル１１ａ上には、落書き（２１ａ，２１ｂ）が描かれている。このように、入力デバイス２や指先等を用いて、タッチパネル１１ａ上に自由に文字や絵を描くことが可能である。
【００４８】
図６は、実施例３の身長管理装置の操作イメージ図を示している。図６に示すように、身長管理装置１においてコンテンツを表示するためには、まずタッチパネル１１ａ上の任意の位置をタッチする。ここではユーザ２０の指先でタッチしているが、入力デバイス２を用いてもよい。また、図６では、ユーザ２０は位置Ａをタッチしているが、タッチする位置については特に限定されない。タッチパネル１１ａへのタッチが、コンテンツの入力と区別できるように、コンテンツを表示するためには、タッチパネル１１ａ上を長押し、すなわちタッチした状態を一定時間継続する。これにより、コンテンツ入力手段４２は、かかる操作を、コンテンツ項目を表示する操作として認識する。
【００４９】
図７は、実施例３の身長管理装置のコンテンツ項目表示イメージ図を示している。図６において、ユーザ２０が位置Ａを一定時間タッチすると、図７に示すように、タッチパネル１１ａ上には、身長計の目盛りを模したコンテンツ項目２２ａ及びカーソル２３ａが表示される。コンテンツ項目２２ａとしては８０〜１５０ｃｍの身長計の目盛りが表示されているが、基準点設定手段３１により、身長管理装置１の取付位置によって、表示する目盛りの数や範囲を自在に調整することが可能である。また前述したように、身長管理装置１の仕様につき、縦３２個、横７００個の計２２４００個のＬＥＤ光源でＬＥＤアレイ１６を構成すれば、０〜２００ｃｍ程度まで表示可能な構成とすることも可能であるし、仕様によっては更に大型の装置とすることも可能である。
カーソル２３ａは、カーソル表示手段３６ａによりユーザ２０がタッチした位置Ａに現れる。
【００５０】
図８は、実施例３の身長管理装置のコンテンツ項目選択イメージ図であり、（１）はカーソル移動イメージ、（２）はコンテンツ表示イメージを示している。図７に示すように、カーソル２３ａは、カーソル移動手段３６ｂにより、上下にスライドして移動させることができ、図８（１）に示すように、カーソル２３ａを下方に移動させ、コンテンツ項目決定手段３６ｃにより、上下にスライドした指先や入力デバイス２をタッチパネル１１ａから離すことで、コンテンツ項目を決定することができる。ここでは、高さ１１０ｃｍを表す位置でユーザはコンテンツ項目を決定している。
図８（２）に示すように、コンテンツ項目が決定されると、コンテンツ表示手段３７により、身長を表す線３ｄが表示される。ここでは、線３ｄは丁度、高さ１１０ｃｍとなっているが、仮に高さ１１０ｃｍの位置にスケールコンテンツ又はその他の描画コンテンツが記憶されていない場合には、高さ１１０ｃｍに最も近い高さのスケールコンテンツ又はその他の描画コンテンツが選択され表示されることとなる。
【００５１】
また、タッチパネル１１ａ上には、「誕生日おめでとう！」とのメッセージ２４が表示されている。メッセージ２４には描画された時間情報が、時間情報記憶手段３４により記憶されており、また、線３ｄについても同様に、時間情報が時間情報記憶手段３４により記憶されている。そして、線３ｄが描画された時間情報とメッセージ２４が描画された時間情報が一致又は近接し、関連していることから、メッセージ２４は線３ｄと同時に表示されたものである。本実施例の身長管理装置１では、時間情報の関連があるか否かは、コンテンツが描画された日付が同一であることを基準としているが、ユーザのニーズに応じて関連性の判別基準の設定を変更することが可能である。このように、例えば、身長計測の前後に描画したコンテンツについても身長を示した線と共に表示されるため、成長の記録を残すと共に、メッセージや思い出を刻むことができる。また、時が経った後に、家族で子どもの成長の記録や思い出を振り返ることも可能である。
【実施例４】
【００５２】
図１０は、実施例４の身長管理装置のコンテンツ項目表示イメージ図を示している。図１０に示すように、身長管理装置１ｂのタッチパネル１１ａ上には、身長を表す線と時系列を表す目盛りが付されたコンテンツ項目２２ｂ及びカーソル２３ａが表示されている。コンテンツ項目２２ｂでは、実施例３のコンテンツ項目２２ａとは異なり、身長計の目盛りは表現されていないが、コンテンツ項目表示手段３５により、タッチパネル１１ａ上には、身長を示すスケールコンテンツである線（３ｅ〜３ｉ）及び時間情報を示す年表示（２５ａ〜２５ｇ）が表示されている。
年表示（２５ａ〜２５ｇ）は、測定対象となったユーザの身長の各年初の推定値を表している。具体的には、年表示２５ａは２０１３年、年表示２５ｂは２０１４年、年表示２５ｃは２０１５年、年表示２５ｄは２０１６年、年表示２５ｅは２０１７年、年表示２５ｆは２０１８年、年表示２５ｇは２０１９年の１月１日０時０分における推定値を表している。
【００５３】
図１０に示すように、年表示（２５ａ〜２５ｇ）相互の間隔は一定ではない。例えば、２０１５年１月１日を示す年表示２５ｃと２０１６年１月１日示す年表示２５ｄの間隔Ｐ１よりも、２０１６年１月１日を示す年表示２５ｄと２０１７年１月１日示す年表示２５ｅの間隔Ｐ２の方がより狭く設けられている。身長を示す線（３ｅ〜３ｉ）が描画された際には、時間情報記憶手段３４により時間情報が記憶される。かかる時間情報と、基準点情報及び距離情報に基づいてコンテンツ項目２２ｂを表示しているが、身長の伸び方は個人差があるため、表示された時間情報である年表示（２５ａ〜２５ｇ）についてもムラが生じたものである。
なお、線（３ｅ〜３ｉ）相互間における身長の推定方法としては、日数を均等に割り算出することでもよいし、成長曲線などの情報を加味して算出することでもよい。また、図１０では線（３ｅ〜３ｉ）は、描画されたままの線を表示しているが、算出された距離情報に基づき直線に変換して表示してもよい。
【実施例５】
【００５４】
図１１は、実施例５の操作表示パネル組込物品のコンテンツ項目表示イメージ図を示している。図１１に示すように、操作表示パネル組込物品３０ａは横長に配置され、また操作表示パネルユニット１１は、操作表示パネル組込物品３０ａの内部の左方にのみ設けられている。コンテンツ項目表示手段３５により表示されたコンテンツ項目２２ｃは左右に亘って表示され、カーソル２３ｂについても左右に移動可能となっている。このように、カーソル移動手段３６ｂとしては、上下の移動だけではなく、左右の移動を行う構成とすることも可能である。例えば、移動距離の表示、腹囲の表示、ペットの大きさの表示などの場合には、カーソルを横方向に移動し得ることが、視覚的にも分かりやすく、また直感的な操作を可能とし有効な効果をもたらすといえる。
【実施例６】
【００５５】
図１２は、実施例６の身長管理システムのシステム構成図を示している。図１２に示すように、身長管理システム１００は、身長管理装置１、管理サーバ６及びモバイル端末７から成り、それぞれネットワーク５に接続されており、データの送受信が可能となっている。
管理サーバ６には、データベース６ａが設けられており、ユーザの登録情報、設定情報、身長情報、文字や絵、記号などの入力情報、及び、画像等のデータを記憶し、必要に応じて読み込みを行う構造である。
【００５６】
身長管理装置１及びモバイル端末７は、ここでは１つずつ図示されているのみであるが、実際には、多数のユーザが身長管理装置１やモバイル端末７を利用するシステムとなっている。ここで、モバイル端末としては、スマートフォンやタブレット端末が好適であるが、これらに限られず、ＰＣやウェアラブル端末など幅広い端末が利用可能であり、また、一見するとモバイル端末とは感じられない、例えば、一般的な箱の形状を呈した箱状ディスプレイでもよい。また、本実施例の構成とは異なり、モバイル端末ではないＰＣ等を利用してもよい。
【００５７】
ネットワーク５としては、インターネットが用いられているが、ローカルネットワークを用いることでもよい。また、身長管理装置１とモバイル端末７との通信は、インターネット以外の通信手段（５ａ，５ｂ）によって行うことも可能である。通信手段（５ａ，５ｂ）としては、インターネット以外の手段を広く含み、ＱＲコード（登録商標）などの二次元コードや、生体情報をセンシングする方式でもよいし、近距離無線通信を用いてもよい。また、ここでは図示しないが、有線による通信を行うものでもよい。なお、図示しないがデジタルスタイラスペン等の入力デバイスを用いる場合には、身長管理装置１と入力デバイスについては、入力デバイスをアクティブに駆動してエンコードし、静電容量式のタッチパネル１１ａを介してタッチセンシングＩＣに、入力デバイスに登録されたユーザＩＤを送信することでデータを送受信できる。これにより、入力デバイスに登録されたユーザＩＤを身長管理装置１において認証し、また、身長管理装置１において測定された身長情報等を入力デバイスに登録されたユーザＩＤに紐付けて記憶することが可能となっている。
【００５８】
身長管理システム１００が、上記構成とされることにより、ユーザは入力デバイスを持ち替えて、タッチパネル１１ａにタッチするだけで、入力デバイスに登録されたユーザＩＤに合ったコンテンツ項目表示を行うことが可能となる。
また、予めユーザがモバイル端末７を利用して管理サーバ６に画像等をアップロードし、身長管理装置１においてコンテンツを表示する際に、当該コンテンツと関連する画像等をモバイル端末７において受信し、身長管理装置１における表示と共に画像等を閲覧して楽しむといった利用が可能である。
【００５９】
（その他の実施例）
１）操作表示パネル組込物品３０のパネルを、入力デバイスによる入力に限定し、指などによるタッチ入力ができない構成としてもよい。
２）本発明の操作表示パネル組込物品は、実施例２で説明した操作表示パネル組込物品３０と管理サーバ６０が一体化されたデバイスであってもよいし、操作表示パネル組込物品３０とクライアント端末７０が一体化されたデバイスであってもよい。また、操作表示パネル組込物品３０、管理サーバ６０及びクライアント端末７０が一体化されたデバイスであってもよい。
【産業上の利用可能性】
【００６０】
本発明は、描画内容を記憶し表示するだけではなく、家族間等のコミュニケーションを活性化する技術として有用である。
【符号の説明】
【００６１】
１，１ａ，１ｂ  身長管理装置
２  入力デバイス
３ａ〜３ｉ  線
４  柱
５  ネットワーク
５ａ，５ｂ  通信手段
６，６０  管理サーバ
６ａ，６２  データベース
７  モバイル端末
９  床面
１１  操作表示パネルユニット
１１ａ  タッチパネル
１２  突板
１３  透明基材
１４  タッチパネルシート
１５  ライトガイド
１５ａ  ガイド孔
１６  ＬＥＤアレイ
１７  ＬＥＤ光源
１８  筐体
１９ａ〜１９ｃ  光
２０  ユーザ
２１ａ，２１ｂ  落書き
２２ａ〜２２ｃ  コンテンツ項目
２３ａ，２３ｂ  カーソル
２４  メッセージ
２５ａ〜２５ｇ  年表示
３０，３０ａ  操作表示パネル組込物品
３１  基準点設定手段
３２  描画コンテンツ判別手段
３３  距離算出手段
３４  時間情報記憶手段
３５  コンテンツ項目表示手段
３６  コンテンツ選択手段
３６ａ  カーソル表示手段
３６ｂ  カーソル移動手段
３６ｃ  コンテンツ項目決定手段
３７  コンテンツ表示手段
３８，６３，７２  送信手段
３９，６４，７３  受信手段
６１  管理手段
７０  クライアント端末
７１  表示手段
８０  操作表示システム
１００  身長管理システム
Ａ  位置
Ｇ  ギャップ
Ｈ  高さ
Ｐ  間隔
Ｒ  範囲
【図１】
0006892702.tif 000002
【図２】
0006892702.tif 000003
【図３】
0006892702.tif 000004
【図４】
0006892702.tif 000005
【図５】
0006892702.tif 000006
【図６】
0006892702.tif 000007
【図７】
0006892702.tif 000008
【図８】
0006892702.tif 000009
【図９】
0006892702.tif 000010
【図１０】
0006892702.tif 000011
【図１１】
0006892702.tif 000012
【図１２】
0006892702.tif 000013
【図１３】
0006892702.tif 000014
【図１４】
0006892702.tif 000015